(57)【要約】【課題】  サブユニットのデータに対する処理時間の短縮を図る。【解決手段】  画像形成装置と、該画像形成装置７００に着脱可能なサブユニット６００と、サブユニット６００にそのサブユニットの情報を保持するＩＤチップを備えた画像形成処理装置において、サブユニット６００の着脱を検出するＲＦＩＤ１０６と、このＲＦＩＤ１０６によりサブユニット６００が着脱されたと判断し、判断されたときのみＩＤチップよりサブユニットの情報を取得するＣＰＵ１０１とを備える。【選択図】図２
2007316251.tif 000002
【特許請求の範囲】
【請求項１】
着脱可能なサブユニットと、該サブユニットに自身の情報を保持するサブユニット情報保持手段とを備えた画像形成装置において、
前記サブユニットの着脱を検出する検出手段と、
前記検出手段により前記サブユニットの着脱を検出したとき前記サブユニット情報保持手段によりサブユニットの情報を取得する手段と、
を備えていることを特徴とする画像形成装置。
【請求項２】
前記取得する手段は、取得した前記サブユニット情報を全て記憶手段に記憶させ、それ以降の前記サブユニット情報取得は前記記憶手段から行い、前記サブユニットへの情報更新時のみ前記サブユニットへアクセスすることを特徴とする請求項１記載の画像形成装置。
【請求項３】
前記取得する手段は短時間内に前記サブユニットの着脱があった場合、着脱前後の前記サブユニット固有識別情報が同一であれば前記サブユニットの着脱と判断しないことを特徴とする請求項１または２記載の画像形成装置。
【請求項４】
前記取得する手段は、前記サブユニットの情報更新時のみ更新回数をカウントするカウンタを備え、前記サブユニットの着脱を何度検出しても前記カウンタが更新されなければ前記サブユニットの着脱と判断しないことを特徴とする請求項１ないし３のいずれか１項に記載の画像形成装置。
【請求項５】
前記取得する手段は、前記サブユニットの脱着が検出されると前記サブユニットから前記サブユニット情報を必要なときに必要な分だけ前記記憶手段に記憶させ、その後、前記記憶手段に記憶された前記サブユニット情報のみ取得の場合は、前記記憶手段から取得し、前記サブユニットへの情報更新時のみ前記サブユニットへアクセスすることを特徴とする請求項１ないし４項のいずれか１項に記載の画像形成装置。
【請求項６】
前記サブユニットを遮蔽する開閉検知可能なカバーを備え、前記取得する手段は前記カバーの開を検出すると前記サブユニットの情報取得及び更新を一旦停止し、前記サブユニットの脱着を一定周期で検出することを特徴とする請求項１ないし５のいずれか１項に記載の画像形成装置。
【請求項７】
前記取得する手段は次にカバー開を検出した後に前記サブユニットの脱着があった場合は、前記サブユニットの情報取得を再度行うことを特徴とする請求項１ないし６のいずれか１項に記載の画像形成装置。
【請求項８】
前記サブユニットは現像剤収容容器であり、前記サブユニット情報は現像剤の消費量などの情報更新であることを特徴とする請求項１ないし７のいずれか１項に記載の画像形成装置。
【発明の詳細な説明】
【技術分野】
【０００１】
本発明は、消耗品や消耗品を収容する容器などが着脱可能なユニットとして設けられる画像形成装置に関する。
【背景技術】
【０００２】
複写機、プリンタ、ファクシミリなどの画像形成装置において、現像装置内のトナーは画像形成によって消費されるためトナーを補充する必要があり、二成分現像剤の場合は磁性キャリアを交換する必要がある。また、画像形成装置内の像担持体である感光体は、磨耗や劣化によって交換する必要がある。従来はサービスマンがユーザの元に出向き、トナーを補充し、及び／又は感光体の交換を行っていた。しかしながら、画像形成装置及び内部部品・部材の耐久性が高まったことにより、メンテナンスの必要性が低くなってきた。
【０００３】
そこで、現像装置またはクリーニング装置と感光体とを一体的にカートリッジ化し、この感光体ユニットを画像形成装置本体に対して着脱可能にし、サービスマンがユーザの元に出向くことなく、感光体ユニットそのものをユーザが交換することが行われている。また、同様な技術は現像装置に現像剤を供給するための容器であるトナーボトルも着脱可能にして、現像剤が無くなったとき容器そのものを新しいトナーボトルと交換することも行われている。
【０００４】
特に近年では、カートリッジやトナーボトルと画像形成装置との間で、トナーの消費や感光体の使用回数などの情報のやり取りを行うことにより、装置を有効に活用するこができるようになっている。この種の技術としては、例えば、特許文献１ないし３には、画像形成装置本体とカートリッジや容器に搭載した非接触通信ＩＣタグであるＩＣチップとの間で、非接触方式で情報のやり取りを行うことが提案されている。
【特許文献１】特開２００３−２６３０１３号公報
【特許文献２】特開２００５−１８１６２８号公報
【特許文献３】特開２００５−２３４４９９号公報
【発明の開示】
【発明が解決しようとする課題】
【０００５】
トナーボトルや感光体ユニットなど、個別の情報を保存することができるＩＤチップを搭載し、画像形成装置搭載の消耗部品扱いとされるトナーボトルや感光体ユニットなどのサブユニットは保守性の向上から年々扱うデータが増大している。さらに画像形成装置が動作している間も常にデータの読み書きが発生することからそのための通信負担が大きくなってきている。
【０００６】
例えば、連続印刷を行っているときは、１枚毎にトナー消費量や動作時間など、寿命に関する情報が更新されている。一般的に大きく分けてサブユニットＩＤチップデータの処理方式には次の２種類の方式がある。第１の方式は、都度、サブユニットＩＤチップから必要なデータを読み取ったり、必要なデータを書き込んだりするものである。第２の方式は、画像形成装置の立ち上げ準備時に一旦サブユニットＩＤチップの全データを吸い上げシステム内に一時保存するものである。
【０００７】
後はこの一時保存されたデータを基にサブユニットＩＤチップへの読み取りと書き込みを行う。第１の方式である前者は、立ち上げ時に読み取る時間は掛からないが、常にサブユニットＩＤチップとリード／ライト（通信）が発生するため、通信の負荷は大きくなる。これに対して第２の方式である後者は、立ち上げ始めにトナーボトルや感光体ユニットのＩＤチップの全データを一時システム内に一時保存するため、データ書込時のみサブユニットＩＤチップと通信するだけでよく、通信負荷が少なくて済む。
【０００８】
印刷スピードを上げる場合、１枚印刷毎に通信負荷が増大すると印刷スピードを上げることができない。このため、印刷スピードを上げる場合には後者の方式を主に採用している。
【０００９】
従来、サブユニットＩＤチップに対して画像形成装置のカバーが閉から開状態になるとサブユニットを抜かれるおそれがあるため、カバーが閉状態から開状態に移行すると一旦通信を遮断し、再度カバーが開状態から閉状態になるまで通信を止めていた。その後、再度カバーが開から閉状態になる通信を開始し、全サブユニットＩＤチップのデータを吸い上げている。前記ＩＤチップデータの処理方式の後者の場合、全てのサブユニットＩＤチップから立ち上げ時に全データを吸い上げるため、カバー開閉後の立ち上げ処理に時間が掛かるという問題が残る。例えばジャム除去のためカバーを開放し、サブユニットを抜かなくてもジャム除去後カバー閉で立ち上げ時間がかなり掛かってしまう。  本発明はこのような従来技術の実情に鑑みてなされたもので、解決すべき課題は、サブユニットのデータに対する処理時間の短縮を図ることである。
【課題を解決するための手段】
【００１０】
前記課題を解決するため、第１の手段は、着脱可能なサブユニットと、該サブユニットに自身の情報を保持するサブユニット情報保持手段とを備えた画像形成装置において、前記サブユニットの着脱を検出する検出手段と、前記検出手段により前記サブユニットの着脱を検出したとき前記サブユニット情報保持手段によりサブユニットの情報を取得する手段とを備えていることを特徴とする。
【００１１】
第２の手段は、第１の手段において、前記取得する手段は、取得した前記サブユニット情報を全て記憶手段に記憶させ、それ以降の前記サブユニット情報取得は前記記憶手段から行い、前記サブユニットへの情報更新時のみ前記サブユニットへアクセスすることを特徴とする。
【００１２】
第３の手段は、第１または第２の手段において、前記取得する手段は短時間内に前記サブユニットの着脱があった場合、着脱前後の前記サブユニット固有識別情報が同一であれば前記サブユニットの着脱と判断しないことを特徴とする。
【００１３】
第４の手段は、第１ないし第３のいずれかの手段において、前記取得する手段は、前記サブユニットの情報更新時のみ更新回数をカウントするカウンタを備え、前記サブユニットの着脱を何度検出しても前記カウンタが更新されなければ前記サブユニットの着脱と判断しないことを特徴とする。
【００１４】
第５の手段は、第１ないし第４のいずれかの手段において、前記取得する手段は、前記サブユニットの脱着が検出されると前記サブユニットから前記サブユニット情報を必要なときに必要な分だけ前記記憶手段に記憶させ、その後、前記記憶手段に記憶された前記サブユニット情報のみ取得の場合は、前記記憶手段から取得し、前記サブユニットへの情報更新時のみ前記サブユニットへアクセスすることを特徴とする。
【００１５】
第６の手段は、第１ないし第５のいずれかの手段において、前記サブユニットを遮蔽する開閉検知可能なカバーを備え、前記取得する手段は前記カバーの開を検出すると前記サブユニットの情報取得及び更新を一旦停止し、前記サブユニットの脱着を一定周期で検出することを特徴とする。
【００１６】
第７の手段は、第１ないし第６のいずれかの手段において、前記取得する手段が次にカバー開を検出した後に前記サブユニットの脱着があった場合は、前記サブユニットの情報取得を再度行うことを特徴とする。
【００１７】
第８の手段は、第１ないし第７のいずれかの手段において、前記サブユニットは現像剤収容容器であり、前記サブユニット情報は現像剤の消費量などの情報更新であることを特徴とする。
【００１８】
後述の実施の形態において、画像形成装置は参照番号７００に、サブユニットは参照番号６００に、サブユニット情報保持手段はＩＤチップ１１０に、着脱検出手段はＲＦＩＤ１０６と、取得する手段はＣＰＵ１０１に、請求項２は図３のフローチャートに、請求項３は図４のフローチャートに、請求項４は図５のフローチャートにそれぞれ対応している。
【発明の効果】
【００１９】
本発明によれば、サブユニットの脱着をチェックしているため、サブユニットの脱着が発生しなければ、サブユニットの情報を吸い上げる必要がなく、これにより立ち上げ時間を短縮することができる。  
【発明を実施するための最良の形態】
【００２０】
以下、図面を参照し、本発明の実施形態を説明する。図１は本発明が適用される画像形成装置の一例を概略的に示す図である。この実施の形態においては、画像形成装置が複写機の場合を示している。
【００２１】
図１において、複写機全体は参照番号７００で示され、参照番号１００は複写機本体、２００は複写機本体１００を載せる給紙テーブル、３００は複写機本体１００上に取り付ける原稿読取装置、４００は原稿読取装置３００上に取り付ける原稿自動搬送装置（ＡＤＦ）である。
【００２２】
複写機本体１００には、中央に、無端ベルト状の中間転写ベルト１０が設けられている。中間転写ベルト１０は、その詳細は図示していないが、ベース層を例えば伸びの少ないフッ素系樹脂や伸びの大きなゴム材料に帆布など伸びにくい材料で構成された基層で構成し、このベース層の上に弾性層を設ける。弾性層は、例えばフッ素系ゴムやアクリロニトリル−ブタジエン共重合ゴムなどで作られている。この弾性層の表面は、例えばフッ素系樹脂をコーティングして平滑性を良くしたコート層で被われている。この中間転写ベルト１０は、図示例では３つの支持ローラ１４，１５，１６に掛け回して、図１において時計回りに回転搬送可能となっている。
【００２３】
この実施の形態においては、３つの支持ローラ１４，１５，１６のなかで、第２の支持ローラ１５の左に画像転写後に中間転写ベルト１０上に残留する残留トナーを除去する中間転写体クリーニング装置１７が設けられている。また、第１の支持ローラ１４と第２の支持ローラ１５との間に張り渡した中間転写ベルト１０上には、その搬送方向に沿って、イエロー、シアン、マゼンタ、ブラックの４つの画像形成手段１８を横に並べて配置したタンデム画像形成部２０が設けられている。そして、各色の画像形成手段１８にはそれぞれ感光体ドラム４０が設けられている。各色の感光体ドラム４０のそれぞれ下部には中間転写ベルト１０を挟んで転写のためのローラが配置されている。
【００２４】
タンデム画像形成装部２０の上には、図示するように、光走査による書き込み装置２１が配置されている。一方、中間転写ベルト１０を挟んでタンデム画像形成部２０と反対の側には、２次転写装置２２が配置されている。２次転写装置２２は、この実施の形態においては、２つのローラ２３間に、無端ベルトである２次転写ベルト２４を掛け渡して構成し、中間転写ベルト１０を介して従動ローラ１６に押し当てて配置し、中間転写ベルト１０上の画像を転写紙に転写する。
【００２５】
２次転写装置２２の横には、転写紙上の転写画像を定着する定着装置２５が設けられている。定着装置２５は、無端ベルトである定着ベルト２６に加圧ローラ２７を押し当てて構成する。２次転写装置２２には、画像転写後の転写紙を定着装置２５へと搬送するシート搬送機能も備えてなる。もちろん、２次転写装置２２として、転写ローラや非接触のチャージャを配置してもよく、そのような場合は、このシート搬送機能を併せて備えることは難しくなる。なお、この実施の形態では、２次転写装置２２および定着装置２５の下に、上述したタンデム画像形成部２０と平行に、転写紙の両面に画像を記録すべく転写紙を反転する転写紙反転装置２８が備えられている。
【００２６】
さて、いまこの複写機７００を用いてコピーをとるときは、原稿自動搬送装置４００の原稿台３０上に原稿をセットする。または、原稿自動搬送装置４００を開いて原稿読取装置３００のコンタクトガラス３２上に原稿をセットし、原稿自動搬送装置４００を閉じてそれで押さえる。そして、操作パネル５００中のスタートスイッチを押すと、原稿自動搬送装置４００に原稿をセットしたときは、原稿を搬送してコンタクトガラス３２上へと移動して後、他方コンタクトガラス３２上に原稿をセットしたときは、直ちに原稿読取装置３００を駆動し、第１走行体３３および第２走行体３４を走行させる。そして、第１走行体３３で光源から光を発射するとともに原稿面からの反射光をさらに第２走行体３４に向けて反射する。この反射光は第２走行体３４のミラーで反射して、結像レンズ３５を通して読取りセンサ３６に入れて原稿内容を読取る。
【００２７】
また、スタートスイッチ（図示しない）を押すと、３つの支持ローラ１４，１５，１６は回転して、中間転写ベルト１０を回転搬送する。同時に、個々の画像形成手段１８では各感光体４０が回転し、これら感光体上にそれぞれ、イエロー・シアン・マゼンタ・ブラックの単色画像を形成する。そして、中間転写ベルト１０の搬送とともに、それらの単色画像を順次転写して中間転写ベルト１０上に合成カラー画像を形成する。
【００２８】
一方、上述したスタートスイッチを押すと、給紙テーブル２００の給紙ローラ４２の１つを選択回転し、給紙ユニット４３に多段に備える給紙カセット４４の１つから転写紙を繰り出し、分離ローラ４５で１枚ずつ分離して給紙路４６に入れ、搬送ローラ４７で搬送して複写機本体１００内の給紙路４８に導き、レジストローラ４９に突き当てて止める。または、給紙ローラ５０を回転させて手差しトレイ５１上の転写紙転写紙を繰り出し、分離ローラ５２で１枚ずつ分離して手差し給紙路５３に入れ、同じくレジストローラ４９に突き当てて止める。
【００２９】
そして、中間転写ベルト１０上の合成カラー画像にタイミングを合わせてレジストローラ４９を回転させ、中間転写ベルト１０と２次転写装置２２との間に転写紙を送り込み、２次転写装置２２で転写して転写紙上にカラー画像を記録する。画像転写された転写紙は、２次転写装置２２により搬送して定着装置２５へと送り込み、定着装置２５で熱と圧力とを加えて転写画像を定着して後、切換爪５５で切り換えて排出ローラ５６で排出し、排紙トレイ５７上にスタックする。または、切換爪５５で切り換えて転写紙反転装置２８に入れ、そこで反転して再び転写位置へと導き、裏面にも画像を記録して後、排出ローラ５６で排紙トレイ５７上に排出する。一方、画像転写後の中間転写ベルト１０は、中間転写体クリーニング装置１７で、画像転写後に中間転写ベルト１０上に残留する残留トナーを除去し、タンデム画像形成部２０による再度の画像形成に備える。
【００３０】
図２は本発明におけるシステム構成を概略的に示す図である。このシステムは、システム全体の制御を行うＣＰＵ１０１、このＣＰＵ１０１が使用する作業用メモリであるＲＡＭ１０２、制御プログラムを記憶するＲＯＭ１０３、システム全体の情報の管理を行う不揮発性メモリであるＮＶＭ１０４、処理すべき画像データを記憶する画像メモリ１０５、トナーボトルや感光体ユニットなどのサブユニット６００に設けられ、そのサブユニットの情報を記憶し、あるいは情報の書き込みが可能なＩＤチップ１１０との間で無線通信により情報のやり取りを行いそれら情報の書き込みや読み出しが可能なＲＦＩＤ１０６、そして各種機器との入出力のためのＩ／Ｏ１０７とから構成されている。
【００３１】
図３は図２のシステムによる基本制御を説明するためのフローチャートである。このフローチャートにより図２のシステムの動作制御を説明する。複写機本体１００のカバー（図示しない）が開くと、ＣＰＵ１０１はＲＦＩＤ１０６による通信を中断する（ステップＳ１００１）。ここで、サブユニット６００の引き抜きを確認するためＩＤチップ１１０のＩＤ番号を確認する（ステップＳ１００２）。ＩＤチップ１１０のからＩＤ番号の応答があるか否かをチェックし（ステップＳ１００３）、応答がある場合は、システムの負担を少なくする為、１秒単位の間隔で確認を行い（ステップＳ１００４）、カバーが閉じたか否かをチェックする（ステップＳ１００５）。このチェックはカバーが閉じたことが確認されるまで続ける。再びカバーが閉となった場合は、そのまま通信を再開し（ステップＳ１００６）、終了する。したがって、再びＩＤチップ１１０のデータを全取得する必要がない。カバーの綴じが確認できなかった場合はステップＳ１００２に戻る。
【００３２】
一方、ステップＳ１００３にてＩＤチップ１１０のからＩＤ番号の応答がない場合は、通信を停止し、サブユニット６００の引き抜きと判断する（ステップＳ１００７）。そこで次に、カバーが閉じているか否かをチェックし（ステップＳ１００８）、閉じていないと判断された場合は再度カバーが閉じているか否かをチェックする。閉じていることが確認された場合は、サブユニット６００の有無の確認を行い（ステップＳ１００９）、サブユニット６００があるか否かをチェックする（ステップＳ１０１０）。サブユニット６００があると確認されたときサブユニット６００の全データを取得し（ステップＳ１０１１）、終了する。 ステップＳ１０１０において、サブユニット６００が無いと確認された場合は、エラーと判定し（ステップＳ１０１２）、終了する。
【００３３】
図４は基本制御の変形例を説明するためのフローチャートである。この変形例は短時間内にサブユニット６００の着脱が有ったとしても、着脱前後のサブユニット６００の固有識別情報が同一であれば、サブユニット６００の着脱と判断しないことで着脱時の前記サブユニットへのアクセス負担を軽減させるものである。
【００３４】
すなわち、基本制御と同様に、複写機本体１００のカバーが開くと、ＣＰＵ１０１はＲＦＩＤ１０６による通信を中断し（ステップＳ１１０１）、サブユニット６００の引き抜きを確認するためＩＤチップ１１０のＩＤ番号を確認する（ステップＳ１１０２）。そしてＩＤチップ１１０のからＩＤ番号の応答があるか否かをチェックし（ステップＳ１１０３）、応答がある場合は、１秒単位の間隔で確認を行い（ステップＳ１１０４）、カバーが閉じたか否かをチェックし（ステップＳ１１０５）、このチェックはカバーが閉じたことが確認されるまで続ける。再びカバーが閉となった場合は、そのまま通信を再開して（ステップＳ１１０６）、終了する。したがって、再びＩＤチップ１１０のデータを全取得する必要がない。カバーの綴じが確認できなかった場合はステップＳ１１０２に戻る。
【００３５】
一方、ステップＳ１１０３にてＩＤチップ１１０からＩＤ番号の応答がない場合は、ＣＰＵ１０１に内蔵されているタイマあるいは別個設けたタイマ（図示しない）をセットする（ステップＳ１１０７）。そしてタイマの動作中ＩＤチップ１１０からＩＤ番号の応答の有無をチェックし（ステップＳ１１０８）、タイマがタイムアップする前に応答があった場合は、ステップＳ１１０５に進む。応答のチェックはタイマのタイムアップまで行い（ステップＳ１１０９）、タイムアップした場合は通信を停止し、サブユニット６００の引き抜きと判断し（ステップＳ１１１０）、カバーが閉じているか否かをチェックする（ステップＳ１１１１）。閉じていないと判断された場合は再度カバーが閉じているか否かをチェックし、閉じていることが確認された場合は、サブユニット６００の有無の確認を行って（ステップＳ１１１２）、サブユニット６００があるか否かをチェックする（ステップＳ１１１３）。サブユニット６００があると確認されたときは、サブユニット６００の全データを取得し（ステップＳ１１１４）、終了する。 サブユニット６００が無いと確認された場合は、エラーと判定し（ステップＳ１１１５）、終了する。
【００３６】
このときＩＤ応答が無くなった場合、数秒のタイマをセット（フロー図２：ｎ）タイムアップする前に再びＩＤ応答が有ればカバー閉の監視に入り、再びカバー閉となった場合はそのまま通信を再開するだけでよく、（フロー図２：ｆ）再びＩＤチップのデータを全取得する必要がない。
【００３７】
図５は基本制御の更に別の変形例を説明するためのフローチャートである。この別の変形例では、カバー開後、サブユニット６００のＩＤ番号をチェックし、サブユニット６００の脱着が発生した場合はサブユニット６００の再セット後、サブユニット６００が他の機器で使用されたかどうかを判断するため、サブユニット６００のＩＤチップ１１０のデータ更新情報を確認し、データの更新が発生していなければカバー閉後にサブユニット６００の全ＩＤチップデータを吸い上げる必要が無いので、立ち上げ時間を短縮させ、また、長時間保守員やユーザがサブユニットの点検など実施した場合でもカバー閉後の立ち上げ時間を短縮させている。
【００３８】
この別の変形例でも、図３の基本制御と同様に、複写機本体１００のカバーが開くと、ＣＰＵ１０１はＲＦＩＤ１０６による通信を中断し（ステップＳ１２０１）、サブユニット６００の引き抜きを確認するためＩＤチップ１１０のＩＤ番号を確認する（ステップＳ１２０２）。ＩＤチップ１１０のからＩＤ番号の応答があるか否かをチェックし（ステップＳ１２０３）、応答がある場合は、１秒単位の間隔で確認を行い（ステップＳ１２０４）、カバーが閉じたか否かをチェックし（ステップＳ１２０５）、このチェックはカバーが閉じたことが確認されるまで続ける。再びカバーが閉となった場合は、そのまま通信を再開して（ステップＳ１２０６）、終了する。したがって、再びＩＤチップ１１０のデータを全取得する必要がない。カバーの綴じが確認できなかった場合はステップＳ１２０２に戻る。
【００３９】
一方、ステップＳ１２０３にてＩＤチップ１１０からＩＤ番号の応答がない場合は、ＩＤ番号の確認を行う（ステップＳ１２０７）。そのためＩＤ番号の応答があるまで待つ（ステップＳ１２０８）。再びＩＤ番号の応答があると、前回と同一のＩＤ番号かどうかをチェックするためＩＤ番号の読み取りを行う（ステップＳ１２０９）。そして、その番号が同一であるか否かをチェックする（ステップＳ１２１０）。同一番号の場合は、更にデータ更新が有ったか否かをチェック（ステップＳ１２１１）。データ更新も無ければ、ステップＳ１２０５に進み、カバー閉の監視に入り、再びカバー閉となった場合はそのまま通信を再開するだけでよく（ステップＳ１２０６）、サブユニット６００の抜き差しが有っても再びＩＤチップのデータを全取得する必要がない。データ更新がある場合及びステップＳ１２１０で同一番号でないと判断された場合はれば、カバーが閉じているか否かをチェックする（ステップＳ１２１２）。閉じていないと判断された場合は再度カバーが閉じているか否かをチェックし、閉じていることが確認された場合は、サブユニット６００の有無の確認を行って（ステップＳ１２１３）、サブユニット６００があるか否かをチェックする（ステップＳ１２１４）。サブユニット６００があると確認されたときは、サブユニット６００の全データを取得し（ステップＳ１２１５）、終了する。 サブユニット６００が無いと確認された場合は、エラーと判定し（ステップＳ１２１６）、終了する。
【図面の簡単な説明】
【００４０】
【図１】本発明が適用される画像形成装置の一例を概略的に示す図である。
【図２】本発明におけるシステム構成を概略的に示す図である。
【図３】図２のシステムによる基本制御を説明するためのフローチャートである。
【図４】基本制御の変形例を説明するためのフローチャートである。
【図５】基本制御の更に別の変形例を説明するためのフローチャートである。
【符号の説明】
【００４１】
１００  複写機本体
１０１  ＣＰＵ
１０２  ＲＡＭ
１０３  ＲＯＭ
１０４  ＮＶＭ
１０５  画像メモリ
１０６  ＲＦＩＤ
１１０  ＩＤチップ
２００  給紙テーブル
３００  原稿読取装置  
６００  サブユニット
７００  画像形成装置
【図１】
2007316251.tif 000003
【図２】
2007316251.tif 000004
【図３】
2007316251.tif 000005
【図４】
2007316251.tif 000006
【図５】
2007316251.tif 000007